(57)【要約】【課題】  餌料生物の集積、繁殖及び増殖を長期間促進すること。【解決手段】  網状体を多数重ね合わせて形成した網状部９が棒状体８の周囲に巻き付けられている餌料生物増殖構成体５を複数備え、これら複数の餌料生物増殖構成体５が収容枠体１１の内部の収容空間１１ａに設けられている。網状部９は、棒状体８に取り付けてあるので、海底等に長期間設置しても、網状体の網目で形成された微細空間の大きさや形が変わり難くすることができ、これによって、餌料生物の集積、繁殖及び増殖を長期間促進することができる。【選択図】      図３
2006345721.tif 000002
【特許請求の範囲】
【請求項１】
網状体を重ね合わせて形成した網状部が芯部材の周囲に取り付けられていることを特徴とする餌料生物増殖構成体。
【請求項２】
前記網状部は、略短円柱形に形成され、その中心に鉄製の前記芯部材を配置したことを特徴とする請求項１記載の餌料生物増殖構成体。
【請求項３】
前記芯部材は、棒状体又は鎖状体であることを特徴とする請求項１又は２記載の餌料生物増殖構成体。
【請求項４】
請求項１乃至３のいずれかに記載の１又は２以上の餌料生物増殖構成体を、収容枠体の内部に設けたことを特徴とする餌料生物増殖装置。
【請求項５】
請求項１乃至３のいずれかに記載の餌料生物増殖構成体を、鋼製枠体で形成された鋼製魚礁、コンクリート製魚礁、消波ブロック、及び防波堤のいずれかに設けたことを特徴とする集魚装置。
【請求項６】
請求項１乃至３のいずれかに記載の餌料生物増殖構成体が立てた状態で魚礁の内部空間に配置され、前記餌料生物増殖構成体の上部が線状体を介して前記魚礁と連結し、下部がアンカーに結合していることを特徴とする集魚装置。
【発明の詳細な説明】
【技術分野】
【０００１】
本発明は、魚類等の水産生物の餌となる餌料生物の集積、繁殖及び増殖を促進する餌料生物増殖構成体、餌料生物増殖装置及び集魚装置に関する。
【背景技術】
【０００２】
水産生物にとって有効な餌料生物であるヨコエビ、ワレカラ等は、その大きさがミリ単位前後又はそれ以下であり、微細かつ複雑な形状の空間を好んで集積し、繁殖し、増殖する傾向がある。このことを考慮した従来の集魚装置として、牡蠣殻を鉄枠構造体の内部に収容して海底に設置するものがある。
【０００３】
しかし、この集魚装置では、地域により或いは年により、牡蠣殻や類似の貝殻が所要量発生しないことがあり、牡蠣殻等を使用できないことがある。そして、これらの貝殻は重量が大きいので、この貝殻を収容する鉄枠構造体の強度を大きくする必要があり、そのために、この鉄枠構造体のコストが嵩むという問題がある。また、餌料生物の種類に応じて、貝殻の隙間の大きさや数を調節することが難しいという問題がある。
【０００４】
そこで、上記のような問題を解決するために、図１２に示す餌料生物増殖装置（以下、単に「増殖装置」と言うこともある。）１が提案されている（例えば、特許文献１参照。）。この図１２に示す増殖装置１は、図１３に示す収容枠体２内に、適当な大きさに切断された魚網片３を、例えば球状及び筒状に丸めて配置したものである。この収容枠体２は、内部に収容空間２ａが形成されるように、鉄製線状体４を溶接して格子状に形成したものである。この収容空間２ａに適当な大きさに丸められた多数の魚網片３が収容されている。
【特許文献１】登録実用新案第３０５３２７９号公報
【発明の開示】
【発明が解決しようとする課題】
【０００５】
しかし、図１２に示す従来の餌料生物増殖装置１では、収容枠体２内に収容されている多数の魚網片３は、柔軟なものであるので、海底等に設置されて長い年月が経過すると、魚網片３が収容枠体２の底や隅に片寄った状態となることがある。魚網片３がこのように、収容枠体２の底や隅に片寄った状態となると、魚網片３の網目で形成される微細空間の大きさや形が変わり、このように変形した微細空間では、餌料生物の集積、繁殖、及び増殖が妨げられるという問題が生じる。
【０００６】
本発明は、上記のような課題を解決するためになされたものであり、海底等に長期間設置しても、網状体の網目で形成された微細空間の大きさや形が変わり難くすることができ、これによって、餌料生物の集積、繁殖、及び増殖を長期間促進することができる餌料生物増殖構成体、餌料生物増殖装置及び集魚装置を提供することを目的としている。
【課題を解決するための手段】
【０００７】
本発明に係る餌料生物増殖構成体は、網状体を重ね合わせて形成した網状部が芯部材の周囲に取り付けられていることを特徴とするものである。
【０００８】
この発明に係る餌料生物増殖構成体によると、網状体を重ね合わせて形成された網状部によって、所望の大きさの多数の微細な空間を形成することができ、これら多数の微細な空間を餌料生物の繁殖の住処として提供することができる。よって、餌料生物を増殖することができる。そして、この網状部は、芯部材に取り付けられているので、海底等に長期間設置しても、網状部で形成された微細空間の大きさや形が変わり難くすることができ、これによって、餌料生物の集積、繁殖、及び増殖を長期間促進することができる。また、芯部材は、餌料生物増殖構成体を設置するときに、設置用構造体として使用することができ、設置するときに便利である。
【０００９】
そして、この発明に係る餌料生物増殖構成体において、前記網状部を、略短円柱形に形成し、その中心に鉄製の前記芯部材を配置するとよい。このように、網状部を略短円柱形とすると、例えば網状体を芯部材に巻き付けることによって、網状体を簡単、かつ、しっかりと芯部材に取り付けることができる。これによって、年月の経過によって、芯部材に対する網状部の取付け位置が変動することを抑制できる。そして、芯部材を鉄製とすることによって、この鉄成分が餌料生物の繁殖を促進し、集魚の役割を果たすことができる。
【００１０】
また、この発明に係る餌料生物増殖構成体において、前記芯部材を、棒状体又は鎖状体とするとよい。
【００１１】
この発明に係る餌料生物増殖装置は、本発明の餌料生物増殖構成体を、収容枠体の内部に１又は２以上設けたことを特徴とするものである。
【００１２】
この餌料生物増殖装置によると、例えば多数の餌料生物増殖構成体を収容枠体に収容する構成とすると、これら多数の餌料生物増殖構成体を一体として簡単に設置することができる。そして、この収容枠体によって、例えば海中の浮遊物等が餌料生物増殖構成体に接触することを防止して、この餌料生物増殖構成体が損傷することを防止できる。勿論、１つの餌料生物増殖構成体を収容枠体内に設けることによって、餌料生物増殖構成体の損傷を防止できる。
【００１３】
この発明に係る集魚装置は、本発明の餌料生物増殖構成体を、鋼製枠体で形成された鋼製魚礁、コンクリート製魚礁、消波ブロック、及び防波堤のいずれかに設けたことを特徴とするものである。
【００１４】
この集魚装置によると、餌料生物増殖構成体を鋼製魚礁、コンクリート製魚礁、消波ブロック、又は防波堤に設けた構成としたので、この餌料生物増殖構成体を設置するための設置用構造体を鋼製魚礁、コンクリート製魚礁等と、別個に製作したり、それらとは別の設置スペースを確保する必要がなく経済的である。そして、餌料生物増殖構成体を魚礁に設けることとすると、魚類等の水産生物の住処に餌料生物を増殖することができ、水産生物の繁殖を効率的に促進することができる。
【００１５】
この発明に係る集魚装置は、本発明の餌料生物増殖構成体が立てた状態で魚礁の内部空間に配置され、前記餌料生物増殖構成体の上部が線状体を介して前記魚礁と連結し、下部がアンカーに結合していることを特徴とするものである。
【００１６】
この集魚装置によると、魚礁の内部の収容空間に、餌料生物増殖構成体を立てた状態で配置しているので、この餌料生物増殖構成体の外周のいずれの側からも餌料生物がその内部に進入して生息することができる。そして、魚類等の水産生物は、この増殖構成体の外周のいずれの側からも、増殖構成体の内部やその周辺に生息する餌料生物を餌として食べることができる。
【発明の効果】
【００１７】
この発明に係る餌料生物増殖構成体によると、網状体を多数重ね合わせて形成した網状部を、芯部材に取り付けた構成としたので、海底等に長期間設置しても、網状体で形成された微細空間の大きさや形が変わり難くすることができ、これによって、餌料生物の集積、繁殖、及び増殖を長期間促進することができる。その結果、この餌料生物増殖構成体が設置され海域等に、魚類等の水産生物を効果的に集めたり繁殖させることができる。
【発明を実施するための最良の形態】
【００１８】
以下、本発明に係る餌料生物増殖構成体、餌料生物増殖装置及び集魚装置の第１実施形態を図１〜図５を参照して説明する。図２は、餌料生物増殖構成体５を示す斜視図であり、図３は、複数本の餌料生物増殖構成体５を内部に収容する餌料生物増殖装置６を示す斜視図である。図５は、多数の餌料生物増殖装置６が設けられている集魚装置７を示す斜視図である。この集魚装置７は、例えば海底に設置されて使用されるものである。
【００１９】
図２に示す餌料生物増殖構成体５は、棒状体（芯部材）８と、この棒状体８の周囲に取り付けられている網状部９とを備えている。棒状体８は、例えば長さが約１ｍの鉄棒である。この棒状体８は、餌料生物増殖構成体５が例えば海底に設置されて長期間経過しても、網状部９を確実に保持できる太さ及び長さに形成されている。
【００２０】
図２に示す網状部９は、例えば使用済み又は未使用の魚網を適当な大きさに切り取って、略短円柱形に形成したものであり、この網状部９の中心に棒状体８が設けられている。つまり、この網状部９を製造するときは、まず、例えば図１（ａ）、（ｂ）に示すように、魚網を矩形の所定の大きさに切り取って得られた網状体１０を折り畳んで多数重ね合わせた状態にする。そして、図２に示すように、この折り畳まれた網状体１０を棒状体８に対して、略短円柱形状となるように巻き付けて取り付ける。これによって、餌料生物増殖構成体５を製造することができる。なお、網状部９を棒状体８にしっかりと取り付けるために、例えば棒状体８の外周面に多数の突起を設けてもよいし、網状部９の外周面の適切な箇所を紐やワイヤ等で縛ってもよい。
【００２１】
図３の餌料生物増殖装置６は、図２に示す餌料生物増殖構成体５を複数本用意して、これら複数本の餌料生物増殖構成体５を、収容枠体１１内の収容空間１１ａに配置して取り付けたものである。この収容枠体１１は、図４に示すように、所定長さに形成された２本の断面コ字状の縦部材１２、１２が、互いに間隔を隔てて平行して配置されている。この２本の縦部材１２、１２は、それぞれに設けられている溝部１２ａが互いに向かい合う向きに配置されている。また、同図に示すように、この２本の縦部材１２、１２の一端及び他端のそれぞれの上面及び下面は、連結板１３を介して互いに連結されている。これら４つの連結板１３は、２本の縦部材１２、１２の対応する部分に例えば溶接されて結合している。
【００２２】
更に、２本の縦部材１２、１２と、上面側の２つの連結板１３とで形成されているこの収容枠体１１の上面壁部、及び２本の縦部材１２、１２と、下面側の２つの連結板１３とで形成されているこの収容枠体１１の下面壁部は、それぞれ格子状体１４で形成されている。格子状体１４は、多数の線材や細長い板材を使用して形成してもよいし、一体物として形成してもよい。また、それぞれの縦部材１２、１２、連結板１３及び格子状体１４は、材質が例えば鉄等の金属であるが、プラスチックとしてもよい。
【００２３】
また、図３に示すように、それぞれが同一の長さの複数本の餌料生物増殖構成体５は、縦部材１２、１２と平行する状態で収容枠体１１内部の収容空間１１ａに配置されている。そして、それぞれの棒状体８の一端は、例えば鉄製の結合部材１５に溶接されて互いに結合し、他端は、それとは別の鉄製の結合部材１５に溶接されて互いに結合している。そして、これら２本の各結合部材１５、１５の両端部は、２本の縦部材１２、１２の対応する各端部に溶接されて結合している。この２本の結合部材１５、１５によって、複数本の餌料生物増殖構成体５を収容枠体１１の収容空間１１ａ内に固定して取り付けている。なお、この収容枠体１１は、海底等に長期間設置しても、損傷したり、形状が変化しないような鉄等の材料を使用しており、そのように設計されている。また、収容枠体１１を溶接できないプラスチック等の材料を使用する場合は、溶着してもよいし、ねじ止めしてもよい。
【００２４】
図５に示す集魚装置７は、鋼製の魚礁１６に対して、図３に示す餌料生物増殖装置６を多数設けたものである。この鋼製の魚礁１６は、鉄骨部材を溶接等により結合させて、全体として四角錐台形状に製作したものである。つまり、魚礁１６は、下側矩形枠体１７と、それよりも小さい上側矩形枠体１８と、この上側矩形枠体１８と下側矩形枠体１７とを互いに連結する複数本の傾斜部材１９とを備えている。そして、この魚礁１６の４つの各傾斜面を形成する傾斜部材１９に対して複数本の水平部材２０が設けられており、この水平部材２０に図３に示す餌料生物増殖装置６が多数設けられている。また、上側矩形枠体１８にも複数本の水平部材２０が設けられており、この水平部材２０にも多数の餌料生物増殖装置６が設けられている。なお、魚礁１６の各傾斜面に設けられている餌料生物増殖装置６は、それぞれの餌料生物増殖構成体５が例えば水平方向と平行する向きで設置してあるが、これに代えて、各傾斜面に２本ずつ互いに平行して設けられている傾斜部材１９と平行に餌料生物増殖構成体５を設けてもよい。なお、この集魚装置７は、その横幅及び奥行きのそれぞれが例えば約６ｍである。
【００２５】
図５に示す集魚装置７は、例えば海底に設置して使用することができる。この集魚装置７には、多数の餌料生物増殖装置６が設けられ、各餌料生物増殖装置６には、図２に示す餌料生物増殖構成体５が多数設けられている。これらの餌料生物増殖構成体５によると、網状体１０を多数重ね合わせて形成した網状部９によって、所望の大きさの多数の微細な空間を形成することができ、これら多数の微細な空間をヨコエビ、ワレカラ等の餌料生物の繁殖の住処として提供することができる。よって、餌料生物を増殖することができる。そして、この網状部９は、棒状体８に取り付けられているので、海底等に長期間設置しても、網状体１０で形成された微細空間の大きさや形が変わり難くすることができ、これによって、餌料生物の集積、繁殖、及び増殖を長期間促進することができる。その結果、魚類等の水産生物をこの餌料生物増殖構成体５が設置されている海域等に、効果的に集めたり繁殖させることができる。また、それぞれの棒状体８は、例えば図３に示す収容枠体１１の結合部材１５に結合（溶接）することができるので、多数の餌料生物増殖構成体５を収容枠体１１に簡単に固定して取り付けることができる。
【００２６】
また、図２に示すように、網状部９を略短円柱形に形成しているので、網状体１０を棒状体８に巻き付けることによって、簡単、かつ、しっかりと棒状体８に取り付けることができる。これによって、年月の経過によって、棒状体８に対する網状部９の取付け位置が変動することを抑制できる。そして、棒状体８を鉄製とすることによって、この鉄成分が餌料生物の繁殖を促進し、集魚の役割を果たすことができる。
【００２７】
更に、図３に示す餌料生物増殖装置６によると、多数の餌料生物増殖構成体５を収容枠体１１に収容できるので、これら多数の餌料生物増殖構成体５を一体として簡単に、例えば図５に示す集魚装置７に設けることができる。そして、この収容枠体１１によって、例えば海中の浮遊物等が餌料生物増殖構成体５に接触することを防止して、この餌料生物増殖構成体５が損傷することを防止できる。
【００２８】
そして、図５に示す集魚装置７によると、多数の餌料生物増殖構成体（餌料生物増殖装置６）５を魚礁１６に設けた構成としたので、多数の餌料生物増殖構成体５等を海底等に設置するための設置用構造体を魚礁１６と別個に製作したり、それとは別の設置スペースを確保する必要がなく経済的である。そして、餌料生物増殖構成体５等を魚礁１６に設けることによって、魚類等の水産生物の住処に餌料生物を増殖することができ、水産生物の繁殖や増殖を効率的に促進することができる。
【００２９】
次に、図６を参照して、この発明に係る集魚装置の第２実施形態を説明する。図６に示す第２実施形態の集魚装置２１は、図５に示す第１実施形態の集魚装置７の下部に、栗石収容枠体２２を設けたものである。この栗石収容枠体２２は、鉄骨部材を使用して平らな略直方体形状に形成したものである。この栗石収容枠体２２内には、複数の栗石収容籠２３、・・・が設けられ、それぞれの栗石収容籠２３内には、多数の栗石２４、・・・が配置されている。この栗石２４は、栗石２４の重量によって、集魚装置２１を海底に安定して設置することができる。そして、多数の栗石２４どうしの間には、多数の複雑な形状の隙間が形成されるので、それぞれの隙間が餌料生物や魚類の住処となり、餌料生物や魚類の繁殖を促進することができる。これ以外は、図５に示す第１実施形態の集魚装置７と同等であり、同様に作用するので、それらの説明を省略する。
【００３０】
次に、図７及び図８を参照して、この発明に係る集魚装置の第３実施形態を説明する。図７に示す第３実施形態の集魚装置２５は、防波堤２６の側面に対して、図８（ａ）、（ｂ）に示す餌料生物増殖装置６を設けたものである。この餌料生物増殖装置６は、図３に示すものであり、収容箱体２７内に溶接やボルト等で固定して設けられている。収容箱体２７は、正面に矩形の開口部２７ａが形成されており、矩形の底壁２８を有し、この底壁２８の上縁及び下縁に上側壁２９及び下側壁３０が結合し、底壁２８の左縁及び右縁に左側壁３１及び右側壁３２が結合している。上側壁２９及び下側壁３０は、それぞれが斜め上方及斜め下方に傾斜して設けられている。この収容箱体２７の深さは、餌料生物増殖装置６の厚みと略同一である。
【００３１】
また、防波堤２６の側面には、図７に示すように、収容箱体２７と対応する形状の凹部３３が形成されており、この凹部３３に収容箱体２７がアンカーボルト等で固定して取り付けられており、この収容箱体２７内に餌料生物増殖装置６がボルトや溶接等で固定して取り付けられている。この餌料生物増殖装置６は、海水の水位が変動したときでも、常に水没する位置に設けられている。
【００３２】
図７に示す集魚装置２５によると、餌料生物増殖装置６を防波堤２６に設けた構成としたので、この餌料生物増殖装置６を海底等に設置するためのスペースを確保する必要がないし、餌料生物増殖装置６を設置するための設置用構造体を防波堤２６と別個に製作する必要がなく経済的である。
【００３３】
次に、図９を参照して、この発明に係る集魚装置の第４実施形態を説明する。同図に示す第４実施形態の集魚装置３４は、消波ブロック３５の側面に対して、図２に示す餌料生物増殖構成体５を設けたものである。
【００３４】
消波ブロック３５は、図９に示すように、略円錐台状の４つの突起３６を、所定の中心位置から４方向に放射状に突出するように設けたものである。各突起３６の側面には、その突出方向と略平行して収容凹部３７が形成されており、各収容凹部３７に図２に示す餌料生物増殖構成体５が設けられている。各餌料生物増殖構成体５は、図９に示すように、それぞれの棒状体８の両方の各端部が、それぞれの収容凹部３７内に突設されている一対の固定金具３８、３８に例えば溶接されて取り付けられている。同図に示す各餌料生物増殖構成体５は、消波ブロック３５の表面と略一致させて配置されているが、その表面よりも内側に位置するように設けてもよい。そのようにする場合は、収容凹部３７を同図のものよりも深く形成して、収容凹部３７の奥側に餌料生物増殖構成体５を取り付ければよい。
【００３５】
図９に示す集魚装置によると、餌料生物増殖構成体５を消波ブロック３５に設けた構成としたので、この餌料生物増殖構成体５を海底等に設置するためのスペースを確保する必要がないし、餌料生物増殖構成体５を設置するための設置用構造体を消波ブロック３５と別個に製作する必要がなく経済的である。
【００３６】
次に、図１０〜図１２を参照して、この発明に係る集魚装置の第５実施形態を説明する。図１０に示す第５実施形態の集魚装置３９は、コンクリート製魚礁４０の内部に形成されている収容空間４０ａに、図２に示す餌料生物増殖構成体５を例えば３本設けたものである。
【００３７】
このコンクリート製魚礁４０は、図１２に示すように、略六角錐台形状であり、内部に収容空間４０ａが形成され、下面に六角形の開口部４０ｂが形成されている。そして、上壁４１及び６つの各傾斜壁４２、・・・には、この魚礁４０の内部の収容空間４０ａと外部とを連通する魚類等（水産生物）の上側通路４１ａ及び傾斜面通路４２ａ、・・・が形成されている。
【００３８】
３本の餌料生物増殖構成体５は、図１０及び図１１に示すように、互いに接触した状態で、所定の大きさに切り取られた結束用網状体（魚網）４３で巻かれて束ねられている。そして、鉛直方向と平行した状態で、魚礁４０の内部の収容空間４０ａに配置されている。これら３本のそれぞれの餌料生物増殖構成体５は、各棒状体８の上端部がワイヤー４４、・・・を介して固定金具４５、・・・に連結しており、それぞれの固定金具４５は、魚礁４０の上側通路４１ａを形成する内壁面に埋め込まれて設けられている。そして、各棒状体８の下端部は、アンカー金具４６に結合し、このアンカー金具４６はコンクリート製のアンカーブロック４７に埋め込まれて設けられている。このアンカーブロック４７は、海底に設置される。
【００３９】
図１０及び図１１に示す集魚装置３９によると、魚礁４０の内部の収容空間４０ａに、餌料生物増殖構成体５を立てた状態で設置しているので、この餌料生物増殖構成体５の外周のいずれの側からも餌料生物がその内部に進入して生息することができる。そして、魚類等の水産生物は、この増殖構成体５の外周のいずれの側からも、増殖構成体５の内部やその周辺に生息する餌料生物を餌として食べることができる。
【００４０】
ただし、上記実施形態では、図２に示す棒状体８を例えば鉄製としたが、鉄以外の金属や、プラスチック等の材質としてもよい。そして、同図に示すように、網状部９の形状を略短円柱形としたが、これ以外の形状としてもよく、例えば断面形状が長円形としてもよい。また、１本の棒状体８に対して１つの網状部９を設けたが、２以上の網状部９を設けた構成としてもよい。更に、１つの餌料生物増殖構成体５に対して１本の棒状体８を設けたが、２本以上の棒状体８を例えば束ねて設けた構成としてもよい。
【００４１】
更に、上記実施形態では、図３に示すように、収容枠体１１に複数本の餌料生物増殖構成体５を設けたが、これに代えて、収容枠体１１に１本の餌料生物増殖構成体５を設けた構成としてもよい。
【００４２】
そして、上記実施形態では、網状部９を魚網で形成したが、魚網以外の網状のものを使用して形成してもよい。また、網状部９は、天然繊維を使用したものでもよいし、人工繊維を使用したものでもよい。
【００４３】
また、上記実施形態では、網状体１０を折り畳んで網状部９を形成したが、複数枚の網状体１０を重ね合わせて網状部９を形成してもよいし、網状体１０を折り畳まずに、棒状体８に単に巻き付けてもよい。
【００４４】
更に、上記実施形態では、芯部材として棒状体８を使用したが、これに代えて、チェーン（鎖状体）等を使用してもよい。
【産業上の利用可能性】
【００４５】
以上のように、本発明に係る餌料生物増殖構成体、餌料生物増殖装置及び集魚装置は、海底等に長期間設置しても、網状体の網目で形成された微細空間の大きさや形が変わり難くすることができ、これによって、餌料生物の集積、繁殖及び増殖を長期間促進することができる優れた効果を有し、このような餌料生物増殖構成体、餌料生物増殖装置及び集魚装置等に適用するのに適している。
【図面の簡単な説明】
【００４６】
【図１】（ａ）はこの発明の第１実施形態に係る餌料生物増殖構成体の網状部の製造に使用される網状体を示す斜視図、（ｂ）は図１（ａ）の網状体を折り畳んだ状体を示す斜視図である。
【図２】同第１実施形態に係る餌料生物増殖構成体を示す斜視図である。
【図３】同第１実施形態に係る餌料生物増殖装置を示す斜視図である。
【図４】図３の餌料生物増殖装置に使用される収容枠体を示す斜視図である。
【図５】同第１実施形態に係る集魚装置を示す斜視図である。
【図６】同発明の第２実施形態に係る集魚装置を示す斜視図である。
【図７】同発明の第３実施形態に係る集魚装置を示す縦断面図である。
【図８】（ａ）は同第３実施形態に係る集魚装置に使用される餌料生物増殖装置を示す正面図、（ｂ）は図８（ａ）に示す餌料生物増殖装置のＡ−Ａ断面図である。
【図９】同発明の第４実施形態に係る集魚装置を示す正面図である。
【図１０】同発明の第５実施形態に係る集魚装置を示す縦断面図である。
【図１１】同第５実施形態に係る集魚装置を示す横断面図である。
【図１２】同第５実施形態に係る集魚装置に使用される魚礁を示す斜視図である。
【図１３】従来の餌料生物増殖装置を示す斜視図である。
【図１４】同従来の餌料生物増殖装置に使用される収容枠体を示す斜視図である。
【符号の説明】
【００４７】
５  餌料生物増殖構成体
６  餌料生物増殖装置
７、２１、２５、３４、３９  集魚装置
８  棒状体（芯部材）
９  網状部
１０  網状体
１１  収容枠体
１１ａ、４０ａ  収容空間
１２  縦部材
１２ａ  溝部
１３  連結板
１４  格子状体
１５  結合部材
１６、４０  魚礁
１７  下側矩形枠体
１８  上側矩形枠体
１９  傾斜部材
２０  水平部材
２２  栗石収容枠体
２３  栗石収容籠
２４  栗石
２６  防波堤
２７  収容箱体
２７ａ、４０ｂ  開口部
２８  底壁
２９  上側壁
３０  下側壁
３１  左側壁
３２  右側壁
３３  凹部
３５  消波ブロック
３６  突起
３７  収容凹部
３８、４５  固定金具
４１  上壁
４１ａ  上側通路
４２  傾斜壁
４２ａ  傾斜面通路
４３  結束用網状体
４４  ワイヤー
４６  アンカー金具
４７  アンカーブロック 
【図１】
2006345721.tif 000003
【図２】
2006345721.tif 000004
【図３】
2006345721.tif 000005
【図４】
2006345721.tif 000006
【図５】
2006345721.tif 000007
【図６】
2006345721.tif 000008
【図７】
2006345721.tif 000009
【図８】
2006345721.tif 000010
【図９】
2006345721.tif 000011
【図１０】
2006345721.tif 000012
【図１１】
2006345721.tif 000013
【図１２】
2006345721.tif 000014
【図１３】
2006345721.tif 000015
【図１４】
2006345721.tif 000016